(57)【要約】本発明は多数の物体が接触した場合にも、エラーなしに多数の物体の座標を認識することができる方法および接触した物体の面積を認識する方法に関する。本発明による打点の座標認識方法は、物体により妨害を受けない赤外線送受信素子の光の大きさの最大受信値を測定して保存し、多数の接点を識別するためのインデックス変数値を初期化する段階と、物体により妨害を受ける赤外線送受信素子の光の大きさ受信値が前記最大受信値未満の場合、接触であると認識する段階と、最小受信値を測定して物体の中心座標を認識する段階と、前記中心座標に対するインデックス変数値を読み取り、インデックス変数値が存在しない場合には新たな座標として認識して該当インデックス変数値を設定し、前記中心座標値と前記中心座標に対するインデックス変数値を保存する段階を含んで構成される。また、物体の中心軸が位置する赤外線送受信素子の光の大きさの受信値と、物体の中心軸の左右側最外郭の赤外線送受信素子における光の大きさの受信値を測定して接点のX軸直径およびY軸直径を測定して保存する段階と；接点を楕円と想定して前記測定されたX軸およびY軸直径により接点の面積を測定する段階を含んで構成される。【選択図】図１
2010505182.tif 000002
【特許請求の範囲】
【請求項１】
複数のX軸送受信素子と、複数のY軸赤外線送受信素子とを備えたタッチパネルの座標認識方法において、物体により妨害を受けない赤外線送受信素子の光の大きさの最大受信値を測定して保存し、多数の接点を識別するためのインデックス変数値を初期化する段階と、
物体により妨害を受ける赤外線送受信素子の光の大きさの受信値が前記最大受信値未満の場合、接触であると認識する段階と、
前記赤外線送受信素子の光の大きさの受信値のうち最小受信値を測定して物体の中心座標を認識する段階と、
前記中心座標に対するインデックス変数値を読み取って、インデックス変数値が存在しない場合には新たな座標と認識して該当インデックス変数値を設定し、前記中心座標値と前記中心座標に対するインデックス変数値を保存する段階を含んで構成されることを特徴とする赤外線タッチスクリーンの打点の座標認識方法。
【請求項２】
第１項において、赤外線送受信素子において測定された光の大きさの受信値を前記最大受信値と比較して接触でない場合であると認識した場合には保存されたすべての中心座標値と該当インデックス変数値を削除する段階をさらに含んで構成されることを特徴とする赤外線タッチスクリーンの打点の座標認識方法。
【請求項３】
第１項において、該当インデックス変数値が設定された中心座標の移動がある場合、移動速度の限界値を設定しておき、前記中心座標の移動速度が前記限界値より小さい場合には連続する座標と認識して該当インデックス変数値に対して移動後の接点の中心座標値を前記中心座標に代わって保存する段階をさらに含んで構成されることを特徴とする赤外線タッチスクリーンの打点の座標認識方法。
【請求項４】
第３項において、タッチパネルの接触がなされたかまたは接触がoffにされた状態であるかを示す指示子と、それぞれの接点において接触が維持されるのかまたは接触がoffにされた状態であるのか示す指示子と、ぞれぞれの接点に対して割り当てられたインデックス変数値と、それぞれの接点のX座標およびY座標値と、一つ以上測定される物体の個数に対する情報とを含んで情報機器に伝送される段階を含んで構成されることを特徴とする赤外線タッチスクリーンの打点の座標認識方法。
【請求項５】
複数のX軸赤外線送受信素子と、複数のY軸赤外線送受信素子とを備えたタッチパネルの座標認識方法において、物体により妨害を受けない赤外線送受信素子の光の大きさの最大受信値を測定して保存し、多数の接点を識別するためのインデックス変数値を初期化する段階と、
物体により妨害を受ける赤外線送受信素子の光の大きさの受信値が前記最大受信値未満の場合、接触であると認識する段階と、
前記赤外線送受信素子の光の大きさの受信値のうち、最小受信値を測定して物体の中心座標を認識する段階と、
物体の中心軸が位置する赤外線送受信素子の光の大きさの受信値と、物体の中心軸の左右側の最外郭赤外線送受信素子における光の大きさの受信値を測定して接点のX軸直径およびY軸直径を測定して保存する段階と；
接点を楕円と想定して前記測定されたX軸およびY軸直径により接点の面積を測定する段階をさらに含んで構成されることを特徴とする赤外線タッチスクリーンの接点の面積認識方法。
【請求項６】
第５項において、タッチパネルに接触がなされたかまたは接触がoffにされた状態であるかを示す指示子と、それぞれの接点において接触が維持されるのかまたは接触がoffにされた状態であるのかを示す指示子と、それぞれの接点に対して割り当てられたインデックス変数値と、それぞれの接点のX座標およびY座標値と、それぞれの接点のX軸直径およびY軸直径の測定値と、一つ以上測定される物体の個数に対する情報を含んで情報機器に伝送する段階を含んで構成されることを特徴とする赤外線タッチスクリーンの接点の面積認識方法。
【発明の詳細な説明】
【技術分野】
【０００１】
本発明は赤外線タッチスクリーンにおいて、接触した多数の物体の座標認識方法に関するものであって、さらに詳細には多数の物体が接触した場合にもエラーなしに多数の物体の座標を認識することができる方法に関する。
【０００２】
また、本発明は、赤外線タッチクリーンにおいて、接触した物体の面積を認識する方法に関する。
【背景技術】
【０００３】
一般的にタッチパネル(Touch panel)は、各種ディスプレイを用いる情報通信機器と使用者間のインターフェイスを構成する様々な方式のうちの一つであって、使用者が手やペンで画面に直接接触することによって、機器とインターフェイスすることができる入力装置である。
【０００４】
タッチパネルはディスプレイに表示されているボタンを指で接触することのみでコンピュータを対話的、直感的に操作することによって老若男女が誰でも簡単に使用することができる入力装置であることから、現在PDA、LCD、CRT、銀行や官公署、各種医療装備、観光および主な機関の案内、交通案内等数多くの分野において適用されている。
【０００５】
タッチパネルを構成する方式には抵抗膜方式と、超音波方式と、赤外線方式等がある。先ず、導電フィルム方式はガラスと薄いフィルムの間に化学薬品が塗布されているX軸とY軸の側面に薄い金属板が貼り付けられた構成からなる。このような形態のパネルに電源を供給すると一定量の抵抗が形成され、ある一部位に手やその他の物体が触れると化学薬品が反応して抵抗が瞬間的に変化するようになり、側面の金属板では抵抗の変化から物体が接触した位置座標を求める。
【０００６】
次に、赤外線マトリクス方式は、パネルの上下左右に間隔が非常に詰まった碁盤模様の赤外線が流れるように、赤外線放射装置と感知装置のアレイ構造からなる。このとき、パネルの特定部分に物体が接触するようになると、そこに流れる赤外線が遮断されるためにこれを認知して接触した物体の位置情報が分かるようになる。
【０００７】
一般的に赤外線センサ型タッチパネルは、PCBプレートの一方に制御部が設けられ、他の部分にディスプレイ部が形成されてディスプレイ部の前面には無反射アクリルプレートが設けられ、その縁の上下部および左右側で対をなすように複数の発光素子と受光素子を備えて赤外線マトリクスを形成し、このディスプレイ部の後面にはスクリーンが設けられる。発光素子と受光素子により形成された赤外線マトリクスに使用者が指で接触する場合、その部分の赤外線が遮断されて位置を認識するようになる。このとき、この赤外線マトリクスは前記PCBプレートの一方に形成された制御部により制御される。
【発明の開示】
【発明が解決しようとする課題】
【０００８】
ところが、使用者がタッチパネルを接触することは必ずしも赤外線送受信素子の中央に接触するのではなく、場合によっては赤外線送受信素子が構成するセルの中央から外れて角や縁の部分に接触することもある。従来のタッチパネルは、赤外線送受信素子の個数による一定の解像度を有し、素子の個数による解像度だけしか物体の座標を認識しないために、上記の場合に使用者の接触による物体の正確な座標を認識することが難しく、物体の正確な座標を認識するためには解像度を高めなければならないところ、このためには赤外線送受信素子の個数を増やさなければならないために、製造単価が高価になるという問題点があった。
【０００９】
また、従来のタッチパネルは、タッチパネルに接触される物体を認識するのにおいて、一つの接点のみを認識するだけであって、同時にまたは順次に複数ヶ所に接触する場合、接触する各接点のX座標およびY座標の組み合わせを正確に読み出すことができないことから接触される接点の正確な座標を認識することができず、接触のエラーと判断するしかないという問題点があった。
【００１０】
また、従来のタッチパネルにおいては、タッチパネルに接触される物体の座標のみを読み出すだけであって、接触する接点の面積が狭いのか、または広いのかを認識することができなかった。これによって、例えばペン等で接触する場合、接点の面積が狭く、指で接触する場合、ペン等で接触する場合よりも接点の面積が広いが、このような接点の面積に応じて接点の認識を異にして、その結果を異なるようにディスプレイしなければならない場合にはこのような多様な方式の接触に適切に対応することができないという問題点があっただけでなく、接点が多数の赤外線発光素子にわたってなされた場合に接触の認識をエラーと処理するしかないという問題点があった。
【００１１】
本発明によると、赤外線送受信素子の個数を増加させなくても物体の座標をより細密に測定することができ、タッチパネルに接触する物体を認識するのにおいて、複数ヶ所に接触する各接点のX座標およびY座標の組合せを正確に認識することができ、従来のタッチスクリーンにおいて多数の接点で接触された場合にエラーと判断することによって生じる不便さを解決することができる。
【００１２】
また、本発明によると、タッチパネルに接触する物体の座標面を読み込むだけであって、接触する接点の面積が狭いのかまたは広いのかを認識することができずに多様なタッチ方式に適切に対応することができない従来のタッチパネルの問題点を解決して、接点の面積を認識することができることから、接点の面積によって接点の認識を異にしてその結果を異なるようにディスプレイしなければならない場合にも適切に対応することができる長所がある。
【課題を解決するための手段】
【００１３】
上述した目的を達成するために、本発明による打点の座標認識方法は、複数のX軸赤外線送受信素子と、複数のY軸赤外線送受信素子を備えたタッチパネルの座標認識方法において、物体により妨害を受けない赤外線送受信素子の光の大きさの最大受信値を測定して保存し、多数の接点を識別するためのインデックス変数値を最小化する段階と、物体により妨害を受ける赤外線送受信素子の光の大きさの受信値が前記最大受信値未満である場合、接触と認識する段階と、前記赤外線送受信素子の光の大きさの受信値のうち最小受信値を測定して、物体の中心座標を認識する段階と, 前記中心座標に対するインデックス変数値を読み取ってインデックス変数値が存在しない場合には、新たな座標として認識して該当インデックス変数値を設定し、前記中心座標値と前記中心座標に対するインデックス変数値を保存する段階を含んで構成される。
【００１４】
また、全体の赤外線送受信素子において測定された光の大きさの受信値を前記最大受信値と比較して、接触でない場合と認識した場合には保存された全ての中心座標値と該当インデックス変数値を削除して初期化する段階をさらに含んで構成される。
【００１５】
また、該当インデックス変数値が設定された中心座標の移動がある場合、移動速度の限界値を設定しておき、前記中心座標の移動速度が前記限界値よりも小さい場合には連続する座標として認識して該当インデックス変数値に対して移動後の接点の中心座標値を前記中心座標値に代わって保存する段階をさらに含んで構成される。
【００１６】
また、本発明による打点の座標認識方法は、物体の中心軸が位置する赤外線送受信素子の光の大きさの受信値と、物体の中心軸の左右側最外郭の赤外線送受信素子における光の大きさの受信値を測定して接点のX軸直径およびY軸直径を測定して保存する段階と；接点を楕円に想定し、前記測定されたX軸およびY軸直径により接点の面積を測定する段階をさらに含んで構成される。
【００１７】
また、本発明による打点の座標認識方法は、前記タッチパネルは物体の接触の有無を示す指示子と、物体の個数と、それぞれの接触した物体のX座標値およびY座標値と、それぞれの接触した物体のX軸直径およびY軸直径を含んで制御部に伝送する段階を含んで構成される。
【発明の効果】
【００１８】
本発明は上述した従来技術の問題点を解決しようとするものであって、多数の物体が同時に、または順次に複数ヶ所に接触する場合、接触する各接点のX座標およびY座標の組み合わせを正確に読み出すことのできる赤外線タッチスクリーンの打点の座標認識方法を提供することをその目的とする。
【００１９】
また、本発明の他の目的は、接触する接点の面積を認識して多様な方式の接触に適切に対応することができるタッチスクリーンの面積認識方法を提供するものである。
【発明を実施するための最良の形態】
【００２０】
以下、添付された図面を参照して、本発明による赤外線タッチスクリーンの接点面積の認識が可能な打点の座標認識方法を詳細に説明する。
【００２１】
図5に示したとおり、本発明によるタッチパネル(1)は、ディスプレイ部(10)とXY座標デコード部(20)と、インターフェイス部(30)から構成される。
【００２２】
前記ディスプレイ部(10)は、X軸上に順次配置された複数の赤外線放射素子を有するX軸赤外線送信部(31)と、前記X軸赤外線送信部(31)に対向して配置され、前記複数の赤外線放射素子から放射された赤外線を受信する複数の赤外線受信素子を有するX軸赤外線受信部(32)と、Y軸上に順次に配置された複数の赤外線放射素子を有するY軸赤外線送信部(33)と、前記Y軸赤外線送信部(33)に対向して配置され、前記複数の赤外線放射素子から放射された赤外線を受信する複数の赤外線受信素子を有するY軸赤外線受信部(34)から構成されている。
【００２３】
前記XY座標デコード部(20)は、前記X軸およびY軸赤外線送信部と受信部(31、32、33、34)からの信号が印加されて物体の座標を数値的に計算する。
【００２４】
前記インターフェイス部(30)は、前記デコード部(20)から計算された物体(105)の座標データをコンピュータ等の自動化機械の制御部(図示しない)に伝送される。
【００２５】
前記X軸赤外線送信部(31)にはXA(1)、XA(2),..XA(n)のn個の赤外線送信素子が配置されており、前記X軸赤外線受信部(32)にはXR(1)、XR(2),..XR(n)のn個の赤外線受信素子が配置されている。また、前記Y軸赤外線送信部(33)にはYA(1)、YA(2),..YA(m)のm個の赤外線送信素子が配置されており、前記Y軸赤外線受信部(34)にはYR(1)、YR(2),..YR(m)のm個の赤外線受信素子が配置されている。
【００２６】
上述した構成を有するタッチパネルを用いた座標認識方法を図6および図7を参照して説明する。
【００２７】
先ず、本発明によるタッチパネル(1)は、前記X軸赤外線送信部(31)に配置された赤外線送信素子から順次に赤外線を放射する。例えば、XA(1)において赤外線を放射すると残りの赤外線送信素子では放射をしないように構成されており、その次にXA(2)、XA(3)の順序で赤外線を反射するように構成されている。
【００２８】
図6に示されているように、前記X軸赤外線送信部(31)に配置された赤外線送信素子から順次に赤外線を反射し、これを前記X軸赤外線受信部(32)に配置された対をなす赤外線受信素子が順次に赤外線を受信する。その次に、前記X軸赤外線受信部(32)の対をなす赤外線受信素子で読み取られた光信号対電気信号の大きさをデジタルデータに変換した値をX（Ｉ）に保存し、前記X（Ｉ）が予め設定された最小限界値より小さいか否かを判断する。任意の位置に使用者の接触が生じると、前記赤外線の放射が妨害を受けて赤外線受信素子の値は前記最小限界値よりも小さくなる。したがって、前記X（Ｉ）が最小限界値よりも小さいと物体(35)がＩ番目の赤外線送受信素子の対の間に置かれているものと判断し、その座標を計算する。
【００２９】
物体(35)のXとYの基本座標を次の式の通りに計算する。
【００３０】
X(n) = CA × Ai/Ji
【００３１】
ここで、Ai =
Ai-1  ＋Ii, Ji = Ji-1 
＋1, J0 = 0, A0 = 0, I0
= 0,  i = 1,2,3...,nであり、CAは計算上の論理的な解像度であって、解像度を1000とし、赤外線送受信素子の個数をnとすると、CA = 1000/nとなる。
【００３２】
その次に、物体の細部座標を計算する。図6に示されているとおり、X(k-1)とX(k), X(k+j)は物体(35)により赤外線送受信が妨害を受ける素子である。
【００３３】
図6に示したように、物体により妨害を受けない赤外線送受信素子の光の大きさの最大受信値Rmaxと、物体により完全に妨害を受ける赤外線送受信素子の光の大きさの最小受信値Rminを測定して保存する。その次に、物体の中心軸が位置する赤外線送受信素子X(k)の光の大きさの受信値Rcur(k)と、物体の中心軸の左側最外郭赤外線送受信素子X(k-1)の光の大きさの受信値Rcur(k-1)を測定して保存し、物体の中心軸の右側最外郭赤外線送受信素子X(k+j)の光の大きさの受信値Rcur(k+1)を測定して保存する。
【００３４】
上記のように、物体の両側最外郭において検知される赤外線受信素子の光の大きさの受信値の差動変動を測定することにより、細部座標を計算することができる。例えば、X軸赤外線受信素子の個数が10であり、論理的な解像度の値が1000であれば座標の誤差は100である。この誤差値を減らすために物体(35)の最外郭により妨害を受ける受信素子の差動値を測定すると100の大きさと微細部分の変動を認知する0において±
50までの変動を計算することができる。
【００３５】
前記最大受信値と前記左右側最外郭の赤外線送受信素子の光の大きさの受信値を比較して物体の細部座標の値を次の式により演算する。
【００３６】
【数１】
2010505182.tif 000003
【００３７】
ここで、Aは細部座標の解像度であって、解像度を100と設定すると0〜100までの任意の値を得ることができる。前記数学式1において得られた値を次の式に入力すると物体の最終的な正確な座標を得ることができる。
【００３８】
【数２】
2010505182.tif 000004
【００３９】
ここで、CA = 論理的な解像度/素子の個数であり、(CAx x X(k), CAy x Y(k))は物体(35)の基本座標である。
【００４０】
論理的な解像度が1000であり、素子の個数が10であれば、CAは100である。
一方、前述した通りの座標認識方法を用いた打点の座標認識方法について察し見る。
図1は本発明による打点の座標認識を示す概念図である。図1に示されたとおり、物体の中心座標および直径を測定する方法について察し見る。接触された第1の物体(101,102)の中心のX座標をX(i)、前記第1の物体(101,102)により遮られる赤外線受信部のX軸上の直径をDx(i)、前記第1の物体(101)の中心のY座標をY(i)、前記第1の物体(101)により遮られる赤外線受信部のY軸上の直径をDy(i)として示す。また、接触された第2の物体(102)の中心の座標をX(j)、前記第2の物体(102)により遮られる最外郭のX軸上の直径をDx(j)、前記第2の物体(102)の中心のY座標をY(j)、前記第2の物体(102)により遮られる赤外線受信部のY軸上の直径をDy(j)として示す。
【００４１】
先ず、X軸赤外線送信部(31)のそれぞれの赤外線送信素子XA(1)、XA(2),..XA(n)から赤外線を走査してX軸赤外線受信部(32)のそれぞれの赤外線受信素子XR(1)、XR(2),..XR(n)に受信された赤外線光の大きさ値を測定する。第1の物体および第2の物体により遮られる赤外線光の大きさの値に応じて、上述したように第1の物体(101)および第2の物体(102)の中心のX座標を計算し、前記物体(101,102)により遮られる最外郭の座標値を測定して中心軸の左右の最外郭の座標値から第1の物体(101)および第2の物体(102)のX軸上の直径をDx(i)を計算する。
【００４２】
Y軸に対しても、同一の方法で中心座標と直径を測定および計算するため、その説明は省略する。
【００４３】
本発明において、写像された物体は基本的に楕円と仮定して物体のX軸上の直径Dx(i)とY軸上の直径Dy(i)を測定するが、必ずしもこれに限定されず、円や長方形等に仮定することもできる。
【００４４】
図4を参照して本発明による打点の座標認識方法の段階について説明する。図4に示した通り、まず、物体により妨害を受けない赤外線送受信素子の光の大きさの最大受信値を測定して保存する。それから多数の接触された接点を識別するためのインデックス変数値 Indexを0に設定して初期化する。
【００４５】
その次に、物体により妨害を受ける赤外線送受信素子の光の大きさの受信値が前記最大受信値より小さい場合には接触したものと判断する。
【００４６】
接触があるものと判断すると、前記赤外線送受信素子の光の大きさの受信値のうち最小受信値を測定して物体の中心座標(X,Y)を上述した方法により測定し、計算して保存する。また、物体の中心軸が位置する赤外線送受信素子の光の大きさの受信値と、物体の中心軸の左右側最外郭の赤外線送受信素子における光の大きさの受信値を測定して接点のX軸直径Dx(i)およびY軸直径のDy(i)を測定して保存する。上述したとおり、本発明においては接点を楕円と想定して前記測定されたX軸およびY軸直径により接点の面積を計算する。
【００４７】
上述したとおり、計算された物体の座標が既に保存された座標値と同一であるかを比較して同一でない場合、新規座標と判断し、前記新規座標に対してインデックス変数値を割り当て、新規座標値とともにインデックス変数値をメモリに保存する。
【００４８】
その次に、赤外線送信部から再び走査された赤外線光の大きさの値を赤外線受信部において受信して、接触があるものと判断すると上述したとおり物体の中心座標X(j)、Y(j)とX軸直径Dx(i)およびY軸直径Dy(i)を測定して保存する。物体の座標が既に保存された座標値と同一であるかを比較して同一でない場合新規座標と判断し、前記新規座標に対して新たなインデックス変数値をIndex＋1を割り当て、新規座標値とともにインデックス変数値Index＋1をメモリに保存する。
【００４９】
上述したような方式により、多数の接点に対してそれぞれのインデックス変数値とともに座標値を保存することができるために、多数の接点において接触がなされるとしても多数の接点の座標を混同したりエラーを発生させずに認識することができる。
【００５０】
一方、物体の座標がすでに保存された座標値と同一であるかを比較して、同一の場合には、物体の移動があるのかを判断して物体の移動がない場合にはすでに保存されたインデックス変数値を座標値をそのまま維持する。
【００５１】
物体の移動がある場合、すなわち接触した状態においてドラッグされたりする場合について説明する。図2に示したとおり、物体の移動がある場合には、物体の接触がなされた時間情報をともに保存し、移動後の物体の時間情報をともに保存して速度を計算する。すなわち、図2において第1の物体(101)の接触がなされた時間がt1である場合、移動前の第1の物体(101)の情報は、X(i1,t1)、Y(i1,t1)となり、移動後の第1の物体(201)の情報はX(i2,t2)、Y(i2,t2)となる。
【００５２】
これにしたがって、第1の物体の移動速度は第1の物体の移動距離と移動時間を計算し、第1の物体の移動速度を計算する。上記の通り計算された移動速度vが予め設定された移動速度の限界値以下である場合には、連続する座標と判断して第1の物体のインデックス変数値はそのまま維持しながら、同一のインデックス変数値に対して新たな座標X(i2)、Y(i2)値を保存する。第2の物体の移動についても同一であるため、その説明は省略する。
【００５３】
第1の物体の移動速度が限界値よりも大きい場合には、連続する座標でないものと判断して新たなインデックス変数値を割り当て、移動後の新たな座標値を前記新たなインデックス変数値とともに保存する。
【００５４】
一方、多数の接点において接触した状態でいずれか一つ以上の接点の接触がoffにされた場合には、赤外線送信部から再び走査された赤外線光の大きさの値を赤外線受信部において受信して、すでに保存された座標値およびインデックス変数値と比較して接触がoffにされた接点があるものと判断した場合には、保存された中心座標値が該当インデックス変数値をメモリから削除する。
【００５５】
全体の赤外線送受信素子において測定された光の大きさの受信値を前記最大受信値と比較して接触がoffにされたものと判断した場合には保存されているすべての中心座標値と該当インデックス変数値を削除して初期化する。
【００５６】
図3は本発明による打点の座標認識方法により認識された打点の座標、を情報機器に送信する方法を示す概念図である。
【００５７】
図3に示されたとおり、上述したように測定および計算された多数の接点に対する情報を他の情報機器等に伝送するときには、タッチパネルに接触がなされたか、または接触がoffにされた状態であるのかを示す指示子(301)と、それぞれの接点において接触が維持されるのかまたは接触がoffにされた状態であるのかを示す指示子(305,311)と、それぞれの接点に対して割り当てられたインデックス変数値(306,312)と、それぞれの接点のX座標およびY座標値(308,310,314,316)と、それぞれの接点のX軸直径測定値およびY軸直径測定値(307,309,313,315)と、一つ以上測定される物体の個数(304)に対する情報を伝送する。
【００５８】
本明細書に添付された図面は、本発明に含まれる技術的思想の一部を明確に示しているものに過ぎず、本発明の明細書および図面に含まれた技術的思想の範囲内において当業者が容易に類推することができる変形例と具体的な実施例はいずれも本発明の技術的思想の範囲に含まれることは自明である。
【産業上の利用可能性】
【００５９】
本発明は赤外線タッチスクリーンにおいて、接触した多数の物体の座標認識方法に関するものであって、さらに詳細には多数の物体が接触した場合にもエラーなしに多数の物体の座標を認識することができる方法に関する。
【００６０】
すなわち、電力供給装置である電源（発電機等）は、共振電力を発生するための補助回路として見なされ、実際負荷に伝達される電力は、並列または直列共振回路により増幅された共振電力であるので、負荷の唯一の直接電力供給源である発電機を利用する方式に比べて、著しく増幅された共振電力を使用できるという効果があり、負荷面で負荷消費電力を減少することができるという効果がある。
【図面の簡単な説明】
【００６１】
【図１】図1は本発明による打点の座標認識を示す概念図である。
【図２】図2は接点の移動がある場合の座標認識を示す概念図である。
【図３】図3は本発明による打点の座標認識方法により認識された打点の座標を情報機器に送信する方法を示す概念図である。
【図４】図4は本発明による打点の座標認識方法の段階を示すチャートである。
【図５】図5は本発明による打点の座標認識方法に使用されるタッチパネルを示す図面である。
【図６】図6は図5のタッチパネルを用いた赤外線送受信を示す図面である。
【図７】図7は本発明により本体の基本座標を測定することを示すチャートである。
【図１】
2010505182.tif 000005
【図２】
2010505182.tif 000006
【図３】
2010505182.tif 000007
【図４】
2010505182.tif 000008
【図５】
2010505182.tif 000009
【図６】
2010505182.tif 000010
【図７】
2010505182.tif 000011
【手続補正書】
【提出日】平成21年3月31日(2009.3.31)
【手続補正１】
【補正対象書類名】図面
【補正対象項目名】図７
【補正方法】変更
【補正の内容】
【図７】
2010505182.tif 000012
【国際調査報告】
2010505182.tif 000013
2010505182.tif 000014